【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
シートに画像を形成する画像形成装置の装置本体の鉛直方向に関する上面に装着されるシート積載装置において、
前記シート積載装置は、
前記装置本体の前記上面に対向する底面から前記装置本体に向かって延び、前記鉛直方向と直交する方向を回転軸方向として回転可能に構成されたラッチ部材と、前記ラッチ部材を所定の回転方向に付勢する付勢部材と、を備え、
前記装置本体と接触する端部を回転中心として前記装置本体に対して回転することが可能であり、
前記ラッチ部材は、前記装置本体の前記上面に設けられた開口部から前記装置本体に入り込むように挿し込まれる第１の凸部であって、前記シート積載装置が前記装置本体に装着された状態において前記付勢部材の付勢力によって前記装置本体と係合する前記第１の凸部と、前記シート積載装置が前記端部を回転中心として前記装置本体に対して傾いた場合に、前記装置本体に係止されて前記シート積載装置の傾きを規制する第２の凸部と、を有することを特徴とするシート積載装置。
【請求項２】
前記第２突の凸部は、前記開口部から前記装置本体に挿入され、前記シート積載装置が前記装置本体に装着されている状態であって、且つ、前記シート積載装置が前記端部を回転中心として前記装置本体に対して傾いていない状態においては、前記装置本体と係合しないことを特徴とする請求項１に記載のシート積載装置。
【請求項３】
前記第１の凸部は、前記ラッチ部材の延びる方向に交差する方向に突出しており、前記第２の凸部は、前記第１の凸部よりも前記ラッチ部材の先端側に設けられており、且つ前記第１の凸部と反対方向に突出していることを特徴とする請求項１又は２に記載のシート積載装置。
【請求項４】
前記第１の凸部は、前記ラッチ部材の延びる方向に交差する方向に突出しており、前記第２の凸部は、前記第１の凸部よりも前記ラッチ部材の先端側に設けられており、且つ所定方向に回転する前記ラッチ部材の回転軸線方向に関して突出していることを特徴とする請求項１又は２に記載のシート積載装置。
【請求項５】
前記ラッチ部材とは異なる位置に設けられ、前記装置本体の前記底面から前記装置本体に向かって延びる位置決め部材であって、前記装置本体の前記上面に設けられた開口部から前記装置本体に挿入されることで、前記シート積載装置を前記装置本体に対して位置決めする前記位置決め部材を備えることを特徴とする請求項１乃至４のいずれか１項に記載のシート積載装置。
【請求項６】
前記装置本体からシートを受け取って搬送する搬送部と、前記搬送部で搬送されたシートを前記シート積載装置の装置外部に排出する排出部と、前記排出部から排出されたシートを積載する積載部と、を備え、
前記積載部は、前記ラッチ部材の前記第１の凸部が突出する方向とは反対方向に延在するように設けられていることを特徴とする請求項１乃至４のいずれか１項に記載のシート積載装置。
【請求項７】
前記鉛直方向に関して並ぶように複数の前記積載部が設けられていることを特徴とする請求項６に記載のシート積載装置。
【請求項８】
前記端部は、前記シート積載装置が外力を受けた際に、前記端部を回動軸として前記積載部側が持ち上がって傾くような位置に設けられていることを特徴とする請求項６又は７に記載のシート積載装置。
【請求項９】
前記ラッチ部材とは異なる位置に設けられ、前記装置本体の前記底面から前記装置本体に向かって延びる位置決め部材であって、前記装置本体の前記上面に設けられた開口部から前記装置本体に挿入されることで、前記シート積載装置を前記装置本体に対して位置決めする前記位置決め部材を備え、
前記積載部の延在方向に関して、前記位置決め部材と前記端部との間に前記ラッチ部材が設けられていることを特徴とする請求項６乃至８のいずれか１項に記載のシート積載装置。
【請求項１０】
シートに画像を形成する画像形成部と、前記画像形成部が収容された装置本体と、前記装置本体の鉛直方向に関する上面に装着されるシート積載装置と、を備える画像形成装置において、
前記シート積載装置は、前記装置本体の前記上面に対向する底面から前記装置本体に向かって延び、前記鉛直方向と直交する方向を回転軸方向として回転可能に構成されたラッチ部材と、前記ラッチ部材を所定の回転方向に付勢する付勢部材と、を有し、前記装置本体と接触する端部を回転中心として前記装置本体に対して回転することが可能であり、
前記ラッチ部材は、前記装置本体の前記上面に設けられた開口部から前記装置本体に入り込むように挿し込まれる第１の凸部であって、前記シート積載装置が前記装置本体に装着された状態において前記付勢部材の付勢力によって前記装置本体と係合する前記第１の凸部と、前記シート積載装置が前記端部を回転中心として前記装置本体に対して傾いた場合に、前記装置本体に係止されて前記シート積載装置の傾きを規制する第２の凸部と、を有することを特徴とする画像形成装置。
【請求項１１】
前記第２突の凸部は、前記開口部から前記装置本体に挿入され、前記シート積載装置が前記装置本体に装着されている状態であって、且つ、前記シート積載装置が前記端部を回転中心として前記装置本体に対して傾いていない状態においては、前記装置本体と係合しないことを特徴とする請求項１０に記載の画像形成装置。
【請求項１２】
前記第１の凸部は、前記ラッチ部材の延びる方向に交差する方向に突出しており、前記第２の凸部は、前記第１の凸部よりも前記ラッチ部材の先端側に設けられており、且つ前記第１の凸部と反対方向に突出していることを特徴とする請求項１０又は１１に記載のシート積載装置。
【請求項１３】
前記第１の凸部は、前記ラッチ部材の延びる方向に交差する方向に突出しており、前記第２の凸部は、前記第１の凸部よりも前記ラッチ部材の先端側に設けられており、且つ所定方向に回転する前記ラッチ部材の回転軸線方向に関して突出していることを特徴とする請求項１０又は１１に記載の画像形成装置。
【請求項１４】
前記ラッチ部材とは異なる位置に設けられ、前記装置本体の前記底面から前記装置本体に向かって延びる位置決め部材であって、前記装置本体の前記上面に設けられた開口部から前記装置本体に挿入されることで、前記シート積載装置を前記装置本体に対して位置決めする前記位置決め部材を備えることを特徴とする請求項１０乃至１３のいずれか１項に記載の画像形成装置。
【請求項１５】
前記装置本体からシートを受け取って搬送する搬送部と、前記搬送部で搬送されたシートを前記シート積載装置の装置外部に排出する排出部と、前記排出部から排出されたシートを積載する積載部と、を備え、
前記積載部は、前記ラッチ部材の前記第１の凸部が突出する方向とは反対方向に延在するように設けられていることを特徴とする請求項１０乃至１３のいずれか１項に記載の画像形成装置。
【請求項１６】
前記鉛直方向に関して並ぶように複数の前記積載部が設けられていることを特徴とする請求項１５に記載の画像形成装置。
【請求項１７】
前記端部は、前記シート積載装置が外力を受けた際に、前記端部を回動軸として前記積載部側が持ち上がって傾くような位置に設けられていることを特徴とする請求項１５又は１６に記載の画像形成装置。
【請求項１８】
前記ラッチ部材とは異なる位置に設けられ、前記装置本体の前記底面から前記装置本体に向かって延びる位置決め部材であって、前記装置本体の前記上面に設けられた開口部から前記装置本体に挿入されることで、前記シート積載装置を前記装置本体に対して位置決めする前記位置決め部材を備え、
前記積載部の延在方向に関して、前記位置決め部材と前記端部との間に前記ラッチ部材が設けられていることを特徴とする請求項１５乃至１７のいずれか１項に記載の画像形成装置。
【手続補正２】
【補正対象書類名】明細書
【補正対象項目名】０００５
【補正方法】変更
【補正の内容】
【０００５】
上記課題を解決するための本発明の一つ目の側面は、
シートに画像を形成する画像形成装置の装置本体の鉛直方向に関する上面に装着されるシート積載装置において、
前記シート積載装置は、
前記装置本体の前記上面に対向する底面から前記装置本体に向かって延び、前記鉛直方向と直交する方向を回転軸方向として回転可能に構成されたラッチ部材と、前記ラッチ部材を所定の回転方向に付勢する付勢部材と、を備え、
前記装置本体と接触する端部を回転中心として前記装置本体に対して回転することが可能であり、
前記ラッチ部材は、前記装置本体の前記上面に設けられた開口部から前記装置本体に入り込むように挿し込まれる第１の凸部であって、前記シート積載装置が前記装置本体に装着された状態において前記付勢部材の付勢力によって前記装置本体と係合する前記第１の凸部と、前記シート積載装置が前記端部を回転中心として前記装置本体に対して傾いた場合に、前記装置本体に係止されて前記シート積載装置の傾きを規制する第２の凸部と、を有することを特徴とする。
【手続補正３】
【補正対象書類名】明細書
【補正対象項目名】０００６
【補正方法】変更
【補正の内容】
【０００６】
上記課題を解決するための本発明の２つ目の側面は、
シートに画像を形成する画像形成部と、前記画像形成部が収容された装置本体と、前記装置本体の鉛直方向に関する上面に装着されるシート積載装置と、を備える画像形成装置において、
前記シート積載装置は、
前記装置本体の前記上面に対向する底面から前記装置本体に向かって延び、前記鉛直方向と直交する方向を回転軸方向として回転可能に構成されたラッチ部材と、前記ラッチ部材を所定の回転方向に付勢する付勢部材と、を有し、
前記装置本体と接触する端部を回転中心として前記装置本体に対して回転することが可能であり、
前記ラッチ部材は、前記装置本体の前記上面に設けられた開口部から前記装置本体に入り込むように挿し込まれる第１の凸部であって、前記シート積載装置が前記装置本体に装着された状態において前記付勢部材の付勢力によって前記装置本体と係合する前記第１の凸部と、前記シート積載装置が前記端部を回転中心として前記装置本体に対して傾いた場合に、前記装置本体に係止されて前記シート積載装置の傾きを規制する第２の凸部と、を有することを特徴とする。